(57)【要約】【課題】  ヒンジキャップの音出し部を簡単な構造で形成するとともに、蓋体の開閉が抵抗なく容易に行われ、簡単な操作でクリック音を発生させるようにしたヒンジキャップを提供すること【解決手段】  ヒンジキャップとして、キャップ基体とヒンジ部と蓋体とからなるヒンジキャップであって、キャップ基体は、頂壁と側周壁を具え、頂壁のヒンジ部側に音出し部を設け、音出し部は、頂壁上面から立設した突出板と、突出板上端部から内方、または外方に延びる弾性変形可能な音出し板とからなっており、蓋体は、側周壁と頂壁を具え、頂壁下面には、キャップ基体の頂壁の音出し板の先端部に係合する係合突部を突設した係合板が設けられており、蓋体の開閉時に、音出し部が弾性変形してクリック音を発生させることを特徴とする。【選択図】  図１
2008007169.tif 000002
【特許請求の範囲】
【請求項１】
キャップ基体とヒンジ部と蓋体とからなるヒンジキャップであって、
キャップ基体は、頂壁と側周壁を具え、頂壁のヒンジ部側に音出し部を設け、
音出し部は、頂壁上面から立設した突出板と、突出板上端部から内方、または外方に延びる弾性変形可能な音出し板とからなっており、
蓋体は、側周壁と頂壁を具え、頂壁下面には、キャップ基体の頂壁の音出し板の先端部に係合する係合突部を突設した係合板が設けられており、
蓋体の開閉時に、音出し部が弾性変形してクリック音を発生させることを特徴とするヒンジキャップ。
【請求項２】
キャップ基体とヒンジ部と蓋体とからなるヒンジキャップであって、
キャップ基体は、頂壁と側周壁を具え、頂壁上面に内方、または外方に向かい突出した係合突部を設けた係合板が設けられており、
蓋体は、側周壁と頂壁を具え、頂壁のヒンジ部側に音出し部を設け、
音出し部は、頂壁下面から垂設した突出板と、突出板下端部から外方、または内方に延び、先端がキャップ基体の頂壁の係合板に係合する弾性変形可能な音出し板とが設けられており、
蓋体の開閉時に、音出し部が弾性変形してクリック音を発生させることを特徴とするヒンジキャップ。
【請求項３】
キャップ基体とヒンジ部と蓋体とからなるヒンジキャップであって、
キャップ基体は、頂壁と上部側周壁と、上部側周壁の外周下端から連設されるフランジと、フランジの外縁に垂設される下部側周壁とを具え、
上部側周壁のヒンジ部の反対側に外方に延びる弾性変形可能な音出し板を設け、
蓋体は、側周壁と頂壁を具え、側周壁の内周にキャップ基体の音出し板に係合する係合突部を設け、
蓋体の開閉時に、音出し板が弾性変形してクリック音を発生させることを特徴とするヒンジキャップ。
【請求項４】
キャップ基体とヒンジ部と蓋体とからなるヒンジキャップであって、
キャップ基体は、注出筒を立設した頂壁と側周壁とを具え、
注出筒の外周に、弾性変形可能な音出し板を連設し、
蓋体は、側周壁と頂壁を具え、側周壁の内周に、注出筒に設けた音出し板と係合する係合突部を設け、
蓋体の開閉時に、音出し板が弾性変形してクリック音を発生させることを特徴とするヒンジキャップ。
【請求項５】
ヒンジ部は、一対のヒンジと、ヒンジの間に設けた中間部が屈曲された弾性アーム板とからなり、
開蓋時に、弾性アーム板のキャップ基体側の屈曲腕部が、キャップ基体の側周壁に係止され、蓋体の開状態を保持可能としたことを特徴とする請求項１〜４記載のヒンジキャップ。
【発明の詳細な説明】
【技術分野】
【０００１】
本発明は、容器の口部に装着されるヒンジキャップ、とくに蓋体の開閉によりクリック音を発生させるヒンジキャップに関するものである。
【背景技術】
【０００２】
キャップ基体とヒンジ部と蓋体とからなり、容器の口部に装着されるヒンジキャップにおいて、高齢者や目の不自由な使用者のために、蓋体の開閉時に、クリック音を発生させて蓋体の開閉を使用者に感知させるようにしたヒンジキャップは、従来より知られている（例えば、特許文献１参照 ）。
【特許文献１】特開２００４−１４２７６８号
【発明の開示】
【発明が解決しようとする課題】
【０００３】
上記特許文献１記載のヒンジキャップでは、蓋の開蓋を維持するようになっているため、使用者が閉蓋の際に、ある一定の角度まで閉蓋すると、振動部材と加振部材とが当接して閉蓋の抵抗となり、なかなか閉まらないということがあった。
また、振動部材と加振部材がヒンジの近辺にあるため、音発生効果が有効でないという問題があった。
【０００４】
開蓋の際にも、振動部材と加振部材との係合を外すために、ある程度強い力で開蓋を行わなくてはならず、蓋体の開閉が容易でないという問題があった。
さらに、ヒンジキャップの開閉に関して、キャップ基体に蓋体の開閉をガイドするガイド部が必要であり、ヒンジキャップの構造が簡単ではないという問題があった。
【０００５】
本発明は、上記問題を解決することを課題として、ヒンジキャップの音出し部を簡単な構造で形成するとともに、蓋体の開閉が抵抗なく容易に行われ、簡単な操作でクリック音を発生させるようにしたヒンジキャップを提供することを目的とする。
【課題を解決するための手段】
【０００６】
本発明は、上記の課題を解決するため、ヒンジキャップとして、キャップ基体とヒンジ部と蓋体とからなるヒンジキャップであって、キャップ基体は、頂壁と側周壁を具え、頂壁のヒンジ部側に音出し部を設け、音出し部は、頂壁上面から立設した突出板と、突出板上端部から内方、または外方に延びる弾性変形可能な音出し板とからなっており、蓋体は、側周壁と頂壁を具え、頂壁下面には、キャップ基体の頂壁の音出し板の先端部に係合する係合突部を突設した係合板が設けられており、蓋体の開閉時に、音出し部が弾性変形してクリック音を発生させることを特徴とする構成を採用する。
【０００７】
ヒンジキャップの別実施例として、キャップ基体とヒンジ部と蓋体とからなるヒンジキャップであって、キャップ基体は、頂壁と側周壁を具え、頂壁上面に内方、または外方に向かい突出した係合突部を設けた係合板が設けられており、蓋体は、側周壁と頂壁を具え、頂壁のヒンジ部側に音出し部を設け、音出し部は、頂壁下面から垂設した突出板と、突出板下端部から外方、または内方に延び、先端がキャップ基体の頂壁の係合板に係合する弾性変形可能な音出し板とが設けられており、蓋体の開閉時に、音出し部が弾性変形してクリック音を発生させることを特徴とする構成を採用する。
【０００８】
また、別の実施例として、キャップ基体とヒンジ部と蓋体とからなるヒンジキャップであって、キャップ基体は、頂壁と上部側周壁と、上部側周壁の外周下端から連設されるフランジと、フランジの外縁に垂設される下部側周壁とを具え、上部側周壁のヒンジ部の反対側に外方に延びる弾性変形可能な音出し板を設け、蓋体は、側周壁と頂壁を具え、側周壁の内周にキャップ基体の音出し板に係合する係合突部を設け、蓋体の開閉時に、音出し板が弾性変形してクリック音を発生させることを特徴とする構成を採用する。
【０００９】
また、別の実施例として、キャップ基体とヒンジ部と蓋体とからなるヒンジキャップであって、キャップ基体は、注出筒を立設した頂壁と側周壁とを具え、注出筒の外周に、弾性変形可能な音出し板を連設し、蓋体は、側周壁と頂壁を具え、側周壁の内周に、注出筒に設けた音出し板と係合する係合突部を設け、蓋体の開閉時に、音出し板が弾性変形してクリック音を発生させることを特徴とする構成を採用する。
【００１０】
開閉蓋を定位置に保持するために、ヒンジ部は、一対のヒンジと、ヒンジの間に設けた中間部が屈曲された弾性アーム板とからなり、開蓋時に、弾性アーム板のキャップ基体側の屈曲腕部が、キャップ基体の側周壁に係止され、蓋体の開状態を保持可能としたことを特徴とする構成を付加する。
【発明の効果】
【００１１】
本発明のヒンジキャップは、キャップ基体、または蓋体の片方に、弾性変形可能な音出し板を具えた音出し部を設け、他方に音出し部に係合する係合部を設けることで、蓋体の開閉が抵抗がなく、開閉に際して、クリック音を容易に発生させることができるようになった。
また、クリック音を発生できるヒンジキャップを、簡単な構造でできるようになった。
【発明を実施するための最良の形態】
【００１２】
次に、本発明のヒンジキャップについて、図面を参照して説明する。
本発明のヒンジキャップは、内容物として、シャンプー、リンス、化粧料、薬剤等の液状、またはクリーム状内容物等が充填されたボトル、チューブ等に被着されるもので、以下実施例をあげて説明する。
【実施例１】
【００１３】
図１に示すように、本実施例のヒンジキャップは、容器本体の口筒部に装着されるキャップ基体Ａとヒンジ部Ｂ、および蓋体Ｃとから構成されている。
【００１４】
図１、２に示すように、キャップ基体Ａは、頂壁１と、頂壁１の外縁に係合段部２を形成して連設される側周壁３とを具えている。
【００１５】
頂壁１の中心よりヒンジ部Ｂの反対側には、注出口４が穿設された注出筒５が立設され、ヒンジ部Ｂ側には、弾性変形可能な音出し部６が配設されている。
音出し部６は、頂壁１の上面から立設される突出板７と、突出板７の上端から中心方向に延びる音出し板８とからなっている。
【００１６】
側周壁３の内周には、容器本体の口筒部外周に係合し、キャップ基体Ａを容器本体に装着させる係合部９が設けられている。
側周壁３の外周のヒンジ部Ｂ側には、ヒンジ連設部１０が設けられている。
【００１７】
ヒンジ連設部１０の外側には、蓋体Ｃに連結される中央部１１を薄肉とした一対のヒンジ１２ａ、１２ｂが上部に連設され、ヒンジ１２ａ、１２ｂの間には、側周壁３の上端から切り込まれ、下端に弾性アーム板１３を連設した上部切欠部１４と、下端から切り込まれ、弾性アーム板１３と同巾の下部切欠部１５が設けられている。
下部切欠部１５の上端中央には、先端を鈎状に形成した突起１６が突設されている。
【００１８】
ヒンジ部Ｂは、前記一対のヒンジ１２ａ、１２ｂと、弾性アーム板１３によって構成されており、それぞれの端部は、蓋体Ｃに連結されている。
弾性アーム板１３は、中間部で屈曲されて二つの屈曲腕部１３ａ、１３ｂとからなり、キャップ基体Ａ側の屈曲腕部１３ａには、開蓋時にキャップ基体Ａの突起１６が嵌挿される嵌合孔１７が穿孔されている。
【００１９】
蓋体Ｃは、ヒンジキャップの閉蓋時に、内周下部および下端面がキャップ基体Ａの係合段部２に係合する側周壁１８と、頂壁１９とからなっている。
側周壁１８の外周には、ヒンジ部Ｂの反対側の下端につまみ部２０が突設され、ヒンジ部Ｂ側の下端には、ヒンジ１２ａ、１２ｂが連設されるヒンジ連設部２１が設けられている。
【００２０】
ヒンジ１２の間のヒンジ連設部２１と側周壁１８と頂壁１９には、弾性アーム板１３とほぼ一致する切欠け２２が刻設されており、切欠け２２の頂壁１９の端部２２ａは、弾性アーム板１３の接続部となっている。
【００２１】
頂壁１９の中心よりヒンジ部Ｂの反対側には、ヒンジキャップの閉蓋時に、キャップ基体Ａの注出筒５内周に挿入され、注出口４を閉鎖する密封リング２３が垂設され、ヒンジ部Ｂ側には、キャップ基体Ａの音出し部６と係合する係合板２４が配設されている。
係合板２４の外周側下端には、音出し部６の音出し板８の先端下部と係合する係合突部２５が突設されている。
【００２２】
次に、本実施例ヒンジキャップの作用効果について説明する。
ヒンジキャップの開蓋にあたっては、蓋体Ｃのつまみ部２０を上方に持ち上げ、キャップ基体Ａからヒンジ部Ｂを支点に廻動させると、蓋体Ｃの側周壁１８とキャップ基体Ａの係合段部２との係合、および蓋体Ｃの密封リング２３とキャップ基体Ａの注出筒５との係合が外れ、開蓋が行われる。
【００２３】
その際、蓋体Ｃの係合板２４の外周側と、キャップ基体Ａの音出し部６の音出し板８の先端は係合しており、開蓋が進むごとに、図３に示すように、係合板２４の係合突部２５が上昇し、音出し板８の先端が徐々に持ち上げられて、音出し板８自体が変形していく。
そして、蓋体Ｃのある程度の廻動で、音出し部６の弾性により、音出し板８の先端下部が、係合板２４の係合突部２５を乗り越え、係合が外れ、振動することによって、クリック音が発生する。
【００２４】
さらに、蓋体Ｃを開蓋し、弾性アーム板１３のキャップ基体Ａ側の屈曲腕部１３ａをキャップ基体Ａのヒンジ連設部１０に押付けると、屈曲腕部１３ａは、図４に示すように、ヒンジ連設部１０の下部切欠部１５に嵌合され、突起１６が嵌合孔１７に嵌挿されて弾性アーム板１３が係止され、蓋体Ｃが保持される。
容器本体を押圧し、内容物をキャップ基体Ａの注出筒５から注出させて内容物を使用する。
【００２５】
ヒンジキャップの閉蓋にあたっては、蓋体Ｃをキャップ基体Ａとの保持を外し、つまみ部２０側を廻動させて閉蓋する。
その際、閉蓋が進み、蓋体Ｃがある角度まで廻動されると、蓋体Ｃの係合板２４の係合突部２５の下部がキャップ基体Ａの音出し部６の音出し板８の先端上部に当接する。
【００２６】
さらに閉蓋が進むと、係合突部２５の下部が、音出し板８の先端上部を押し下げ、音出し板８が変形されるとともに、音出し板８の弾性により、音出し板８の先端が蓋体Ｃの係合突部２５を乗り越え、振動し、クリック音を発生させ、ヒンジキャップは閉蓋状態となる。
【００２７】
本実施例のキャップ基体Ａの音出し部６は、蓋体Ｃの係合板２４と係合することにより、ヒンジキャップの開閉の際にクリック音を発生させるとともに、クリック感を発生させるので、容器利用者は、ヒンジキャップの安定した開閉感覚を得ることができる。
さらに、開閉蓋として、閉蓋の際に、蓋体Ｃの係合板２４とキャップ基体Ａの音出し部６とが係合することにより、閉蓋状態の強度を上げることができる。
【００２８】
上記実施例では、音出し部６をヒンジ部側に設け、音出し板８を突出板７より内方に延びるように連設しているが、音出し部６を内方に設け、注出筒に近接して突出板７を立設し、その上端部から音出し板８を外方に延びるように連設し、蓋体Ｃの係合板２４に音出し板８に係合する係合突起を注出筒側に突設してもよい、
【実施例２】
【００２９】
次に、第２実施例について説明する。
本実施例は、第１実施例の音出し部の構成を変更したもので、同一の構成については同じ符号を付して説明を省略し、以下相違点を中心に説明する。
【００３０】
図５に示すように、本実施例のヒンジキャップは、容器本体の口筒部に装着されるキャップ基体Ａａとヒンジ部Ｂａ、および蓋体Ｃａとから構成されている。
【００３１】
キャップ基体Ａａは、頂壁１と、頂壁１の外縁に係合段部２を形成して連設される側周壁３とを具えている。
頂壁１のヒンジ部Ｂａ側には、係合板３０が立設され、係合板３０の内周側上端には、係合突部３１が突設されている。
【００３２】
蓋体Ｃａは、ヒンジキャップの閉蓋時に、内周下部がキャップ基体Ａａの係合段部２に係合する側周壁１８と頂壁１９とからなっており、頂壁１９下面のヒンジ部Ｂａ側には、弾性変形可能な音出し部３２が配設されている。
音出し部３２は、頂壁１９下面に垂設される突出板３３と、突出板３３の外周下端から上方に向かって延び、ヒンジキャップ閉蓋時に、先端上部がキャップ基体Ａａの係合板３０の係合突部３１下部に係合する音出し板３４とからなっている。
【００３３】
次に、本実施例ヒンジキャップの作用効果について説明する。
ヒンジキャップの開蓋にあたっては、蓋体Ｃａの音出し部３２の音出し板３４の先端が、蓋体Ｃａの係合板３０と係合しており、開蓋が進むごとに、図６に示すように、音出し部３２の上昇により、音出し板３４の先端が係合板３０の係合突部３１に引っ張られ、音出し板３４自体が変形していく。
そして、蓋体Ｃａのある程度の廻動で、音出し部３２の弾性により、音出し板３４の先端上部が、係合板３０の係合突部３１を乗り越え、係合が外れ、振動することにより、クリック音が発生する。
【００３４】
ヒンジキャップの閉蓋にあたっては、蓋体Ｃａの廻動が進むと、蓋体Ｃａの音出し部３２音出し板３４の先端下部が、キャップ基体Ａａの係合板３０の係合突部３１の上部に当接する。
さらに閉蓋が進むと、係合突部３１の上部が音出し板３４の先端下部を押し上げ、音出し板３４を変形させるとともに、音出し板３４の弾性により、音出し板３４の先端が蓋体Ｃａの係合突部３１を乗り越え、振動し、クリック音が発生し、ヒンジキャップは閉蓋状態となる。
【００３５】
本実施例の蓋体Ｃａの音出し部３２は、キャップ基体Ａの係合板３０と係合し、ヒンジキャップの開閉の際にクリック音を発生させるとともに、クリック感を発生させるので、容器利用者は、ヒンジキャップの安定した開閉感覚を得ることができる。
さらに開閉蓋として、閉蓋の際に蓋体Ｃａの音出し部３２とキャップ基体Ａａの係合板３０とが係合することによって、閉蓋状態の強度を上げることができる。
その他の構成は、第１実施例と同一であり、同一の作用効果を得ることができる。
【００３６】
上記実施例では、音出し板３４を突出板３３からヒンジ側に延びるように連設したが、突出板３３を注出筒５に向かって内方に延びるように連設し、キャップ基体Ａａの頂壁１に立設した係合板３０を注出筒５近くに立設し、係合板３０の係合突起３１をヒンジ側に突出するようにしてもよい。
その際、係合突条３１を大きく突出させ、突出板３０の先端部との引かかりをおおきくすれば効果的である。
【実施例３】
【００３７】
次に、第３実施例について説明する。
本実施例は、第１実施例の音出し部の構成を変更したもので、同一の構成については同じ符号で付して説明を省略し、以下相違点を中心に説明する。
【００３８】
図７に示すように、本実施例のヒンジキャップは、容器本体の口筒部に装着されるキャップ基体Ａｂとヒンジ部Ｂｂ、および蓋体Ｃｂとから構成されている。
【００３９】
キャップ基体Ａｂは、頂壁３５と、頂壁３５の外縁に垂設される上部側周壁３６と、上部側周壁３６の外周下端に連設されるフランジ３７と、フランジ３７の外縁に係合段部３８を形成して連設される下部側周壁３９とを具えている。
上部側周壁３６のヒンジ部Ｂｂの反対側の外周上部には、弾性変形可能な音出し板４０が配設されている。
【００４０】
蓋体Ｃｂは、ヒンジキャップの閉蓋時に、内周下部および下端面がキャップ基体Ａｂの外縁の係合段部３８に係合する側周壁４１と、頂壁４２とからなっている。
側周壁４１のヒンジ部Ｂｂの反対側の内周には、キャップ基体Ａｂの上部側周壁３６の音出し板４０の先端下部に上部が係合する係合突部４３が配設されている。
【００４１】
次に、本実施例ヒンジキャップの作用効果について説明する。
ヒンジキャップの開蓋にあたっては、蓋体Ｃｂの側周壁４１の係合突部４３が、キャップ基体Ａｂの上部側周壁３６の音出し板４０と係合しており、開蓋が進むごとに、図８に示すように、係合突部４３の上昇により、音出し板４０の先端が徐々に持ち上げられて、音出し板４０自体が変形していく。
そして、蓋体Ｃｂのある程度の廻動で、音出し板４０の先端下部が弾性により係合突部４３を乗り越え、係合が外れ、振動することによって、クリック音が発生する。
【００４２】
ヒンジキャップの閉蓋にあたっては、蓋体Ｃｂの廻動が進むと、蓋体Ｃｂの係合突部４３下部が、キャップ基体Ａｂの音出し板４０の先端上部に当接する。
さらに閉蓋が進むと、係合突部４３が音出し板４０の先端を押し下げ、音出し板４０を変形させるとともに、音出し板４０の弾性により、音出し板４０の先端が係合突部４３を乗り越え、振動し、クリック音を発生させ、ヒンジキャップは閉蓋状態となる。  
【００４３】
本実施例のキャップ基体Ａｂの音出し板４０は、蓋体Ｃｂの側周壁４１の係合突部４３と係合することで、ヒンジキャップの開閉の際に、クリック音を発生させるとともに、クリック感を発生させるので、容器利用者は、ヒンジキャップの安定した開閉感覚を得ることができる。
さらに開閉蓋として、閉蓋の際に、蓋体Ｃｂの係合突部４３と、キャップ基体Ａの音出し板４０とが係合することで、閉蓋状態の強度を上げることができる。
その他の構成は、第１実施例と同一であり、同一の作用効果を得ることができる。
【００４４】
次に、上記第３実施例の変形例について説明する。
上記実施例では、第１実施例におけるキャップ基体の頂壁の上部に頂壁３５、上部側周壁３６を設け、上部側周壁３６に音出し板４０を配設したが、本変形例は、図９に示すように、音出し板４０を注出筒５の外周面に配設するようにしたものである。
【００４５】
注出筒５は、前記第１実施例と同じくキャップ基体Ａｃの頂壁１のヒンジ部Ｂｃの反対側に配設されており、注出筒５の中間位置には、ヒンジ部Ｂｃとは反対側の方向に延びる音出し板４５が連設されている。
【００４６】
蓋体Ｃｃの側周壁４１には、音出し板４５の先端に係合する係合突部４３が設けられている。
蓋体Ｃｃの開閉に応じて、側周壁４１の係合突部４３が音出し板４５と係合して、上記第３実施例と同様の作用効果を得ることができる。
【００４７】
また、前記第３実施例において、音出し板４０を注出筒５より外方に連設してもよく、さらにまた、第３実施例、変形実施例では、音出し板４０、４５を注出筒より外方に連設したが、注出筒５の内方に連設し、蓋体の頂壁４２から音出し板４０、４５先端部に係合する係合突起を設けた係合板を垂設するようにしてもよい。
【００４８】
本発明は、蓋体の開閉に際して、容器利用者にクリック音とともにクリック感を付与することができればよいので、蓋体とキャップ基体を連設するヒンジ部の構成は、どのようなものでもよい。
ヒンジ部、およびそれに係わる蓋体とキャップ基体の構成は、上記各実施例の構成に限定されない。
【産業上の利用可能性】
【００４９】
ヒンジキャップのキャップ基体、または蓋体に、音出し板を配設し、ヒンジキャップの開閉時に音出し板がクリック音を発生することで、容器利用者は、ヒンジキャップの安定した開閉感覚を得ることができる。
また、音出し板が、蓋体またはキャップ基体に係合するので、閉蓋状態の強度を上げることができるヒンジキャップとして、クリーム状の内容物、または、液状の内容物を収容した容器のヒンジキャップとして広く利用できる。
【図面の簡単な説明】
【００５０】
【図１】本発明第１実施例のヒンジキャップを容器に装着した縦断立面図である。
【図２】ヒンジキャップ開蓋時の説明図で、（ａ）は上面図、（ｂ）は断面立面図である。
【図３】ヒンジキャップの開蓋開始時の状態を示す縦断立面図である。
【図４】蓋体の開蓋係止時の状態を示す縦断立面図である。
【図５】第２実施例のヒンジキャップの縦断立面図である。
【図６】ヒンジキャップの開蓋開始時の状態を示す縦断立面図である。
【図７】第３実施例のヒンジキャップの縦断立面図である。
【図８】ヒンジキャップの開蓋開始時の状態を示す縦断立面図である。
【図９】変形実施例のヒンジキャップの縦断立面図である。
【符号の説明】
【００５１】
Ａ、Ａａ、Ａｂ    キャップ基体
Ｂ、Ｂａ、Ｂｂ    ヒンジ部
Ｃ、Ｃａ、Ｃｂ    蓋体
１、１９、３５、４２  頂壁
２、３８          係合段部
３、１８、４１    側周壁
４                注出口
５                注出筒
６、３２          音出し部
７、３３          突出板
８、３４、４０、４５  音出し板
９                係合部
１０、２１        ヒンジ連設部
１１              中央部
１２ａ、１２ｂ    ヒンジ
１３              弾性アーム板
１３ａ、１３ｂ    屈曲腕部
１４              上部切欠部
１５              下部切欠部
１６              突起
１７              嵌合孔
２０              つまみ部
２２              切欠け
２２ａ            端部
２３              密封リング
２４、３０        係合板
２５、３１、４３  係合突部
３６              上部側周壁
３７              フランジ
３９              下部側周壁
【図１】
2008007169.tif 000003
【図２】
2008007169.tif 000004
【図３】
2008007169.tif 000005
【図４】
2008007169.tif 000006
【図５】
2008007169.tif 000007
【図６】
2008007169.tif 000008
【図７】
2008007169.tif 000009
【図８】
2008007169.tif 000010
【図９】
2008007169.tif 000011